(57)【特許請求の範囲】
【請求項１】
弾性を有するテープ基材の片面または両面に粘着剤層を形成してなる粘着テープであり、引張荷重をかけることにより上記テープ基材がその引張方向に引き延ばされて被貼付面から剥がされる剥離可能な粘着テープにおいて、
上記粘着テープには、上記テープ基材の延伸方向の両端に、引き剥がす際に手によって把持され、互いに離反する方向に引張荷重がかけられる把持部が設けられており、
上記粘着テープは、被貼付面からの剥離時に、上記テープ基材の中央部分が最後に剥がされることを特徴とする剥離可能な粘着テープ。
【請求項２】
上記把持部は、非粘着性のシートまたはフィルムを上記粘着剤層の表面に貼り合わせたものからなることを特徴とする請求項１に記載の剥離可能な粘着テープ。
【発明の詳細な説明】
【技術分野】
【０００１】
本発明は、引張荷重をかけることによりゴム弾性を有するテープ基材が引き延ばされて被貼付面から剥がされる剥離可能な粘着テープに関し、さらに詳しく言えば、より安全に剥がし取ることができる剥離可能な粘着テープに関する。
【背景技術】
【０００２】
ポスターを貼り付ける際に画鋲などのように壁面を傷つけることなく、貼り付ける方法の１つとして剥離可能な粘着テープがある。例えば特許文献１に示すように、この種の粘着テープは、発泡樹脂やゴム系の高弾性シートからなるテープ基材の表面に粘着剤を塗布した粘着テープからなり、壁面とポスターの間に介在させて用いられる。
【０００３】
この粘着テープを取り外すに当たっては、テープ端部に設けられた把持部を手でつかみ、外側に引っぱり出すことによって、テープ基材が延びて変形していくのに伴い、徐々に接着面積が減少してゆき、最後に壁面から剥がれ落ちる。これによれば、壁面に糊残りなどせず綺麗に剥がし取ることができるばかりでなく、使用済みのテープの回収も簡単に行うことができる。
【０００４】
【特許文献１】特開２００４−３３９３５３号公報
【発明の開示】
【発明が解決しようとする課題】
【０００５】
しかしながら、従来の剥離可能な粘着テープには、次のような問題があった。すなわち、今までの粘着テープは、粘着テープの延伸方向の一端にのみ把持部が設けてあるため、把持部を掴んで引っ張っていった場合、把持部のない固定端側が最後に剥がれると同時に、弾性復元力によって把持部の方に飛んでくることがあった。
【０００６】
特に、フックなどの固定手段として、この種の粘着テープを用いた場合は、取り外しの際に、剥離可能な粘着テープが剥がれた勢いで、フックを取り付けるための硬質なベース板などが指に向かって飛んでくることもあり、指を痛めるおそれもあった。
【０００７】
仮に弾性回復力が低く、延伸後のテープの収縮が少ないテープの場合も、片方の把持部だけを持って延伸させる場合には、同様の現象が起こる場合があり、フックなどを取り付けるベース板を反対の手で押さえておかければならなかった。
【課題を解決するための手段】
【０００８】
そこで、本発明は上述した課題を解決するためになされたものであって、その目的は、引き剥がした際に指に向かってテープや、粘着テープを介して壁面に貼り付けられた被貼着物が飛来してくるのを防止し、安全に取り外しできる剥離可能な粘着テープを提供することにある。
【０００９】
上述した目的を達成するため、本発明は以下に示すいくつかの特徴を備えている。請求項１に記載の発明は、弾性を有するテープ基材の片面または両面に粘着剤層を形成してなる粘着テープであり、引張荷重をかけることにより上記テープ基材がその引張方向に引き延ばされて被貼付面から剥がされる剥離可能な粘着テープにおいて、上記粘着テープには、上記テープ基材の延伸方向の両端に、引き剥がす際に手によって把持され、互いに離反する方向に引張荷重がかけられる把持部が設けられており、上記粘着テープは、被貼付面からの剥離時に、上記テープ基材の中央部分が最後に剥がされることを特徴としている。
【００１０】
請求項２に記載の発明は、上記請求項１において、上記把持部は非粘着性のシートまたはフィルムを上記粘着剤層の表面に貼り合わせたものからなることを特徴としている。
【発明の効果】
【００１２】
本発明によれば、剥離可能な粘着テープを引き剥がす際、手によって把持される把持部が粘着テープの延伸方向の両端に設けられていることにより、２つの把持部を両手で把持し、それらを互いに離反させる方向に引き剥がすことにより、粘着テープの両端側から中央に向かって剥がれてゆくため、従来では残っていた端部が指に向かって飛来してくることがない。
【発明を実施するための最良の形態】
【００１３】
次に、本発明の実施形態について図面を参照しながら説明する。図１は、本発明の一実施形態に係る剥離可能な粘着テープの斜視図であり、図２は、上記剥離可能な粘着テープの中央縦断面図であり、図３は、延伸剥離時の正面図および側面図である。
【００１４】
図１に示すように、この剥離可能な粘着テープ１は、適度なゴム弾性を有するテープ基材２の両面に粘着剤層３，３が形成された両面粘着テープからなり、その延伸方向（長手方向）の両端には、手によって把持される把持部４，４が設けられている。
【００１５】
なお、剥離可能な粘着テープ１の両面には、粘着剤層３，３を保護するセパレータ（図示しない）が設けられているが、本発明においてセパレータの構成は任意であってよいため、その図示および説明は省略する。
【００１６】
テープ基材２は、延伸剥離しやすく、かつ、適度なゴム弾性を有している合成樹脂が好ましく、この例ではメタロセン系触媒を用いて架橋した架橋ポリオレフィン系樹脂の発泡シートからなるが、延伸剥離性を有する適度なゴム弾性を備えていれば、その材質は仕様に応じて任意に選択されてよい。なお、発泡シートの構成は、連続気泡、独立気泡のいずれであってもよい。
【００１７】
この例において、テープ基材２は、所定の厚みをもつ矩形状シートの両端を半円凸状に形成したものからなるが、テープ基材２の形状は長方形状や楕円状、三角形状など任意である。
【００１８】
粘着剤層３，３は、高保持性であり、テープ基材２の架橋ポリオレフィン系樹脂に同調できる延伸性を有する粘着剤が塗布されている。この例では、粘着剤はＳＢＳブロック共重合体系のポリマーを、テープ基材２の表面に直に所定厚さで一様に塗布したものからなる。この例において、粘着剤層３，３は０．１ｍｍの厚さとなるように形成されている。
【００１９】
この例において、粘着剤は、ＳＢＳブロック共重合体系のポリマーを母剤にαピネン系樹脂やＣ５Ｃ９石油系樹脂などの粘着剤成分、ナフテン系オイルなどが添加され、さらに酸化防止剤や紫外線吸収剤などの各種添加剤が配合されている。
【００２０】
より好ましくは、粘着剤にはイソシアネート樹脂がさらに添加されており、これによれば、テープ基材の表面処理と強く結びつくため、より界面強度が高くなり、投錨性を上げることができる。
【００２１】
さらに好ましくは、粘着剤にはシリカビーズが所定量配合されている。この例において粘着剤は溶剤系であるため、耐溶剤性を有するシリカビーズが用いられているが、その中でも、疎水性シリカビーズは、溶剤系粘着材への分散性がよいためより好ましい。
【００２２】
把持部４，４は、非粘着性の合成樹脂フィルムをテープ基材２の延伸方向の両端にそれぞれ貼り合わせたものからなり、互いに対称に形成されている。この例において、把持部４，４はポリエステルフィルムを粘着剤層３，３の表面に貼り合わせたものからなるが、手で把持するために非粘着性であれば、例えばテープ基材２に粘着剤層３，３を塗布せず形成してもよい。
【００２３】
次に、図３および図４を参照しながら、この剥離可能な粘着テープ１の使用手順および除去方法について説明する。剥離可能な粘着テープ１を使用するに当たっては、図示しないセパレータを剥がしたのち、壁面Ｗに貼付、その上から図示しない被貼着物を貼り付けることで、簡単に壁面Ｗに被貼着物を固定することができる。
【００２４】
使用後は、剥離可能な粘着テープ１の両端の把持部４，４をそれぞれ手で把持した状態で、その把持部４，４を互いに離反する方向（図３では上下矢印方向）することにより、テープ基材２は、把持部４，４側から延伸され、壁面Ｗとの界面で剥離が始まる。
【００２５】
さらに把持部４，４を離反させてゆくと、図３に示すように、両端から中心に向かって幅方向のくびれが進行してゆくとともに、図４（ａ）（ｂ）に示すように、厚さ方向にも剥離が進んで行き、最後に中央部は壁面Ｗから剥離して、剥離可能な粘着テープ１が剥がれ落ちる。
【００２６】
これによれば、従来型の剥離可能な粘着テープのように剥離が一端から他端に向かって進行して行き、最後に剥がれ落ちた剥離可能な粘着テープの他端が一端側に向かって飛んでくることがなく、安全に剥がし取ることができる。
【００２７】
なお、この種の把持部４，４が２つ設けられたダブルタブ型の剥離可能な粘着テープは、除去時に各把持部４，４を被取付物Ｂの一部からはみ出すように固定しておくことで、除去時に把持部４，４を把持しやすい。
【００２８】
剥離可能な粘着テープ１であって、その両端に把持部４，４を備えており、各把持部４，４を互いに離反させるものであれば、これら各種変形例も本発明に含まれる。
【図面の簡単な説明】
【００２９】
【図１】本発明の一実施形態に係る剥離可能な粘着テープの斜視図。
【図２】同剥離可能な粘着テープの側面図。
【図３】本発明の剥離可能な粘着テープの幅方向の除去手順を説明する模式図。
【図４】（ａ），（ｂ）本発明の剥離可能な粘着テープの厚さ方向の除去手順を説明する模式図。
【符号の説明】
【００３０】
１  剥離可能な粘着テープ
２  テープ基材
３  粘着剤層
４  把持部
Ｗ  壁面
【図１】
0005430072.tif 000002
【図２】
0005430072.tif 000003
【図３】
0005430072.tif 000004
【図４】
0005430072.tif 000005